(57)【要約】      （修正有）【課題】デザイン性を重視しながらも着脱のしやすさなども改善した照明機能付き送風装置を提供する。【解決手段】ＬＥＤ２０が搭載されたＬＥＤ基板２１が取り付けられるリング状支持体１０と、リング状支持体１０の光が照射される前面側に取り付けられるリング状カバー１１と、リング状支持体１０の中心に配置される送風器と、を備えた照明機能付き送風装置であって、リング状カバー１１は、前面領域１１０と、側面領域１１２と、側面領域１１２と前面領域１１０をつなぐ外縁領域１１１が形成されており、前面領域１１０は、外縁領域１１１から送風器側の中心に向かうにつれて後方側にへこむ形状を呈している。【選択図】図７
0003230482.tif 000002
【実用新案登録請求の範囲】
【請求項１】
発光素子が搭載された基板が取り付けられるリング状支持体と、
このリング状支持体の光が照射される前面側に取り付けられるリング状カバーと、
前記リング状支持体の中心に配置される送風器と、を備えた照明機能付き送風装置であって、
前記リング状カバーは、前面領域と、側面領域と、側面領域と前面領域をつなぐ外縁領域が形成されており、前面領域は、外縁領域から送風器側の中心に向かうにつれて後方側にへこむ形状を呈していることを特徴とする照明機能付き送風装置。
【請求項２】
前記前面領域は、後方側にへこんだ凹面形状であることを特徴とする請求項１に記載の照明機能付き送風装置。
【請求項３】
前記凹面形状は、中心側に行くほど傾斜角度が緩やかになっていることを特徴とする請求項２に記載の照明機能付き送風装置。
【請求項４】
前記側面領域は、前面側に行くほど径大になるような傾斜形状を呈していることを特徴とする請求項１〜３のいずれか１項に記載の照明機能付き送風装置。
【請求項５】
前記外縁領域と前記前面領域の交差する箇所が最も前面に位置していることを特徴とする請求項１〜４のいずれか１項に記載の照明機能付き送風装置。
【請求項６】
前記送風器の前面側に設けられる羽根カバーと前記リング状カバーが一体結合されていることを特徴とする請求項１〜５のいずれか１項に記載の照明機能付き送風装置。
【考案の詳細な説明】
【技術分野】
【０００１】
本考案は、発光素子が搭載された基板が取り付けられるリング状支持体と、このリング状支持体の光が照射される前面側に取り付けられるリング状カバーと、前記リング状支持体の中心に配置される送風器と、を備えた照明機能付き送風装置に関する。
【背景技術】
【０００２】
かかる照明機能付き送風装置（シーリングサーキュレーターとも呼ばれる）として、下記特許文献１に開示される送風装置がある。この送風装置は、中心に軸流ファン（送風器）を有し、その周囲にリング状の照明部が設けられている。照明部は、照明基板の前面側に照明カバー（リング状カバー）が設けられている。
【先行技術文献】
【特許文献】
【０００３】
【特許文献１】特開２０２０−３３９５０号公報
【考案の概要】
【考案が解決しようとする課題】
【０００４】
この特許文献１に開示される照明カバーは、前面領域が平坦（水平面）であり、その両側に直線状の傾斜面が形成されている。照明カバーの形状は外観で最も目立つ部分でありデザイン性が考慮されるべきものであるが、それ以外にも、カバーの着脱のしやすさや、手で持ちやすいなどの機能も要求される。
【０００５】
本考案は上記実情に鑑みてなされたものであり、その課題は、デザイン性を重視しながらも着脱のしやすさなども改善した照明機能付き送風装置を提供することである。
【課題を解決するための手段】
【０００６】
上記課題を解決するため本考案に係る照明機能付き送風装置は、
発光素子が搭載された基板が取り付けられるリング状支持体と、
このリング状支持体の光が照射される前面側に取り付けられるリング状カバーと、
前記リング状支持体の中心に配置される送風器と、を備えた照明機能付き送風装置であって、
前記リング状カバーは、前面領域と、側面領域と、側面領域と前面領域をつなぐ外縁領域が形成されており、前面領域は、外縁領域から送風器側の中心に向かうにつれて後方側にへこむ形状を呈していることを特徴とするものである。
【０００７】
かかる構成による照明機能付き送風装置の作用・効果を説明する。この送風装置のリング状カバーは、前面領域と、外縁領域と、側面領域とを有している。前面領域は平坦な面（水平面）ではなく、外縁領域から送風器側の中心に向かうにつれて後方側にへこむ形状を呈している。かかる形状にすることで、デザイン性を確保しつつ、カバー着脱時の操作や手での持ちやすさを改善することができる。
【０００８】
本考案に係る前記前面領域は、後方側にへこんだ凹面形状であることが好ましい。
【０００９】
本考案に係る前記凹面形状は、中心側に行くほど傾斜角度が緩やかになっていることが好ましい。
【００１０】
本考案に係る前記側面領域は、前面側に行くほど径大になるような傾斜形状を呈していることが好ましい。
【００１１】
本考案において、前記外縁領域と前記前面領域の交差する箇所が最も前面に位置していることが好ましい。
【００１２】
本考案において、前記送風器の前面側に設けられる羽根カバーと前記リング状カバーが一体結合されていることが好ましい。これにより、メンテナンスを行いやすくすることができる。
【図面の簡単な説明】
【００１３】
【図１】本実施形態に係る送風装置を下方からみた外観斜視図
【図２】送風装置の正面図
【図３】リング状カバーを取り外した状態の正面図
【図４】送風装置の背面図
【図５】送風装置の側面図
【図６】送風装置の縦断面図（図２のＡ−Ａ断面）
【図７】図６に示す主要部分の拡大図
【図８】リング状カバーと羽根カバーの取り付けを示す分解斜視図
【考案を実施するための形態】
【００１４】
本考案に係る照明機能付き送風装置（以下、単に送風装置という。）の好適な実施形態を図面を用いて説明する。図１は、本実施形態に係る送風装置を下方からみた外観斜視図である。図２は、送風装置の正面図である。図３は、リング状カバーを取り外した状態の正面図である。図４は、送風装置の背面図である。図５は、送風装置の側面図である。図６は、送風装置の縦断面図（図２のＡ−Ａ断面）である。図７は、図６に示す主要部分の拡大図である。
【００１５】
送風装置は、リング状の支持体１０（シャーシー）とリング状カバー１１を備えている。支持体１０は、金属製であり、発光素子２０（ＬＥＤ）が搭載されたＬＥＤ基板２１が取り付けられる（図３参照）。ＬＥＤ基板２１は、Ｖ字状に形成されており多数のＬＥＤ２０が搭載される。ＬＥＤ基板２１は全部で６個取り付けられるが、ＬＥＤ基板２１をどのような形状にするか、何個取り付けるかについては適宜決めることができる。隣接するＬＥＤ基板２１同士は連結部２２により電気的に接続される。連結部２２は、リード線やコネクター等により構成される。発光素子２０の配置個数や配置態様については適宜設定することができる。ＬＥＤ基板２１は、ネジや両面テープなどを利用して支持体１０に取り付けられる。ＬＥＤ基板２１の裏面側は、支持体１０に密着させることが好ましい。支持体１０もリング状に形成される。
【００１６】
リング状カバー１１は透光性を有する樹脂等の素材で形成され、支持体１０に対して着脱自在に取り付けられる。支持体１０には、周知の取り付け金具１２が３カ所設けられており、リング状カバー１１を取り付けることができる。これにより、支持体１０とリング状カバー１１により形成される内部空間に照明部が設けられる。
【００１７】
リング状カバー１１の中心部には、送風器３０が設けられる。送風器３０は、送風羽根３１と、送風羽根３１を回転駆動する駆動モーター３２と、駆動軸３３を備えている（図６参照）。送風羽根３１の中心に嵌合孔３１ａが設けられ、駆動軸３３が嵌合挿入される。送風羽根３１は着脱自在に駆動軸３３に取り付けられる。送風羽根３１の駆動軸３３への取り付け構造は周知の構造を採用することができる。
【００１８】
送風羽根３１の前面には羽根カバー３４が設けられている。羽根カバー３４は、駆動軸３３の先端側に位置する円形のカバー部３４ａと、カバー部３４ａから放射状に延びるスポーク３４ｂが一体的に形成されている。スポーク３４ｂは円周方向に等間隔で３本設けられているが、本数や形状は適宜決めることができる。
【００１９】
送風器３０の先端は、リング状カバー１１よりも前方側に突出している（図５等参照）。羽根カバー３４のカバー部３４ａ、スポーク３４ｂも大半がリング状カバー１１よりも前方側に突出している。送風器３０の後方側、送風羽根３１の一番後ろは、支持体１０からは突出していない。スポーク４１と支持体１０の取り付け箇所は、送風羽根３１の最後端よりも後方（天井側）にある。
【００２０】
後方側には、送風装置を不図示の天井に取り付けるための取付部４０が設けられている。天井への取り付け構造は周知の構造が採用される。取付部４０は円筒形のケース部材４０ａの内部に電源回路やＬＥＤや送風器の駆動回路が収容されている。電源回路や駆動回路は周知の構成であるので説明を省略する。取付部４０の周囲には３本のスポーク４１が設けられている。駆動回路とＬＥＤ基板２１とを電気的に接続するためのリード線等は、スポーク４１の内部空間を利用して配線される。スポーク４１は、ネジ等の機械的手段により、支持体１０やケース部材４０ａと連結される。
【００２１】
次にリング状カバー１１の構成について説明する。図７に示すようにリング状カバー１１は、前面領域１１０、外縁領域１１１、側面領域１１２を有している。前面領域１１０は、ＬＥＤ基板２１と発光素子２０と対向する位置にあり、前方側（下方側）に向けて光を照射する領域である。
【００２２】
前面領域１１０は、外縁領域１１１から送風器３０側の中心に向かうにつれて後方側（天井側）にへこむ形状を呈している。さらに、この凹み形状は中心側に行くほど傾斜角度が緩やかになっている。すなわち、中心側にいくほど水平に近くなっている。前面領域１１０の凹みの形状は特定の形状に限定されるものではない。本実施形態では、凹面（球面）の形状を有している。球面以外の３次元形状を採用してもよい。
【００２３】
側面領域１１２は、傾斜した直線状であり、前面（下面）に行くほど径が大きくなるように傾斜した面である。なお傾斜した形状ではなく垂直に形成してもよい。また、傾斜形状に関しても図７とは逆の角度、すなわち、前面に行くほど径が小さくなるように傾斜してもよい。
【００２４】
外縁領域１１１は、前面領域１１０と側面領域１１２を繋ぐための形状を有している。前面領域１１０と外縁領域１１１の交差部分は円弧あるいは楕円形状であり、同じく側面領域１１２と外縁領域１１１の交差部分も円弧あるいは楕円形状である。外縁領域１１１は、若干外側に凸形状であるが直線状に形成してもよい。外縁領域１１１は、外径側に行くほど後方（天井）に近くなるような形状を呈している。外縁領域１１１と前面領域１１０との交点が最も前方側に位置するように形成されている。
【００２５】
図７に示すように、前面領域１１０は、さらに内壁領域１１３と内部フランジ領域１１４につながっている。内壁領域１１３は、側面領域１１２とほぼ平行な傾斜した面であり、内部フランジ領域１１４は、水平面で形成され送風器３０の方向に突出している。さらに、側面領域１１２は断面コの字状の凹部１１５が形成されている。この凹部１１５が支持体１０の中に入り込むようにして支持体１０に連結される。ＬＥＤ基板２１は、内部フランジ領域１１４よりも後方に位置している。
【００２６】
図７に示すように、スポーク３４ｂの径方向の端部に脚部が設けられ、この脚部がリング体３４ｅと連結されている。脚部には、第１突出部３４ｃと第２突出部３４ｄが形成される。第１突出部３４ｃの先端はかぎ状に形成されており、リング状カバー１１の内壁領域１１３の表面に当接している。また、第２突出部３４ｄは、スポーク４１に形成された段差部４１ａに当接している。後述のように、羽根カバー３４は、リング状カバー１１と一体的に結合されており、リング状カバー１１を取り外すときに羽根カバー３４も一体的に取り外すことができる。これにより、取り外しが簡便になり清掃が行いやすくなる。
【００２７】
図８は、リング状カバー１１と羽根カバー３４の取り付けを示す分解斜視図である。なお、この分解斜視図は、裏面側から見た図である。羽根カバー３４の３本のスポーク３４ｂの先端に形成された脚部はリング体３４ｃと連結されて一体化されている。リング体３４ｃには６カ所のボス３４ｄが形成されており、このボス３４ｄには雌ねじが形成されている。スポーク３４ｂの先端の両側に２つずつボス３４ｄが設けられている。
【００２８】
リング状カバー１１には、ボス３４ｄに対応して６つの穴１１６が形成されている。これらの穴１１６は、前述のフランジ領域１１４に形成されており、穴１１６を介してネジ５によりリング状カバー１１と羽根カバー３４を連結する。従って、送風装置の内部を清掃やメンテナンスのためにリング状カバー１１を外すと羽根カバー３４も一緒に外すことができる。これにより、送風羽根３１の清掃も行いやすくすることができる。
【００２９】
＜別実施形態＞
本考案の名称は照明機能付き送風装置であるが、送風機能付き照明装置ともいうことができる。一般的には、シーリングサーキュレーターという名称で呼ばれることもある。
【符号の説明】
【００３０】
１０      リング状支持体
１１      リング状カバー
１１０    前面領域
１１１    外縁領域
１１２    側面領域
１１６    穴
２０      ＬＥＤ
２１      ＬＥＤ基板
３０      送風器
３１      送風羽根
３４      羽根カバー
３４ａ    カバー部
３４ｂ    スポーク
３４ｅ    リング体
３４ｆ    ボス
４０      取付部
４１      スポーク
５        ネジ
【図１】
0003230482.tif 000003
【図２】
0003230482.tif 000004
【図３】
0003230482.tif 000005
【図４】
0003230482.tif 000006
【図５】
0003230482.tif 000007
【図６】
0003230482.tif 000008
【図７】
0003230482.tif 000009
【図８】
0003230482.tif 000010